(57)【要約】【課題】同時に接続可能な台数分の外部機器が既に接続されている場合でも、必要に応じて新たに外部機器を接続してその機器からの画像を含んだ多画面画像を表示させる。【解決手段】複数の外部機器から送られてくる画像信号を、最大機器数を制限して入力する無線ＬＡＮアンテナ33及び無線ＬＡＮＩ／Ｆ31と、入力した複数の画像信号を用いて多画面画像を作成し、作成した多画面画像を投影する投影系13〜25と、複数の外部機器の優先順位を順次更新しながら記憶するメインメモリ27と、最大機器数を超えて新たな外部機器から画像信号の送信要求があった場合に、メインメモリ27で記憶する優先順位にしたがって画像信号を入力する外部機器を切換えるＣＰＵ26とを備える。【選択図】図１
2010211722.tif 000002
【特許請求の範囲】
【請求項１】
複数の外部機器から送られてくる画像信号を、最大機器数を制限して入力する入力手段と、
上記入力手段で入力した複数の画像信号を用いて多画面画像を作成し、作成した多画面画像を表示する表示手段と、
上記複数の外部機器の優先順位を順次更新しながら記憶する記憶手段と、
上記入力手段に最大機器数を超えて新たな外部機器から画像信号の送信要求があった場合に、上記記憶手段で記憶する優先順位にしたがって上記入力手段で画像信号を入力する外部機器を切換える入力制御手段と
を具備したことを特徴とする表示装置。
【請求項２】
上記記憶手段は、上記複数の外部機器から入力される画像信号の更新頻度を優先順位を示す情報として記憶することを特徴とする請求項１記載の表示装置。
【請求項３】
上記入力制御手段は、切換後に新たな外部機器から入力手段に画像信号が入力される時間を制限することを特徴とする請求項１記載の表示装置。
【請求項４】
上記入力制御手段は、上記複数の外部機器のうちの１台を最優先順位の機器として設定し、当該最優先順位の機器で指定された他の外部機器を、優先順位に関係なく無条件に画像信号を入力する外部機器として切換えることを特徴とする請求項１記載の表示装置。
【請求項５】
上記表示装置は、投影装置であることを特徴とする請求項１乃至４いずれか記載の表示装置。
【請求項６】
複数の外部機器から送られてくる画像信号を、最大機器数を制限して入力する入力部、及び上記入力部で入力した複数の画像信号を用いて多画面画像を作成し、作成した多画面画像を表示する表示部とを有する表示装置での表示方法であって、
上記複数の外部機器の優先順位を順次更新しながら記憶する記憶工程と、
上記入力部に最大機器数を超えて新たな外部機器から画像信号の送信要求があった場合に、上記記憶工程で記憶する優先順位にしたがって上記入力部で画像信号を入力する外部機器を切換える入力制御工程と
を有したことを特徴とする表示方法。
【請求項７】
複数の外部機器から送られてくる画像信号を、最大機器数を制限して入力する入力部、及び上記入力部で入力した複数の画像信号を用いて多画面画像を作成し、作成した多画面画像を表示する表示部とを有する表示装置が内蔵したコンピュータが実行するプログラムであって、
上記複数の外部機器の優先順位を順次更新しながら記憶する記憶ステップと、
上記入力部に最大機器数を超えて新たな外部機器から画像信号の送信要求があった場合に、上記記憶ステップで記憶する優先順位にしたがって上記入力部で画像信号を入力する外部機器を切換える入力制御ステップと
をコンピュータに実行させることを特徴とするプログラム。
【発明の詳細な説明】
【技術分野】
【０００１】
本発明は、複数台のパーソナルコンピュータを接続して画像を共有するデータプロジェクタ装置等に好適な表示装置、表示方法及びプログラムに関する。
【背景技術】
【０００２】
従来、ネットワーク接続された複数の端末機器における表示画面を、ネットワーク対応表示装置の表示画面上に多面表示することを目的として、画面キャプチャ機能を有する各端末機器から縮小変換処理及び色変換処理済のキャプチャ画像データを通信部で受信し、表示制御部において画像合成部により各キャプチャ画像データを画面分割により１画面の画像データに合成する技術が考えられていた。（特許文献１）
【先行技術文献】
【特許文献】
【０００３】
【特許文献１】特開２００４−０５４７８３号公報
【発明の概要】
【発明が解決しようとする課題】
【０００４】
上記特許文献の技術も含めて、複数台のパーソナルコンピュータ等の端末機器を接続し、該端末機器から送られてくる画像を多画面表示するような装置では、通常、接続可能な端末機器の数が予め制限されている。
【０００５】
したがって、同時に接続可能な台数分の端末機器が既に接続されている場合、新たな端末機器をさらに追加して接続することはできず、既に接続されている端末機器の中から接続が切断される機器が現出するのを待機するしかない。
【０００６】
本発明は上記のような実情に鑑みてなされたもので、その目的とするところは、同時に接続可能な台数分の外部機器が既に接続されている場合でも、必要に応じて新たに外部機器を接続してその機器からの画像を含んだ多画面画像を表示させることが可能な表示装置、表示方法及びプログラムを提供することにある。
【課題を解決するための手段】
【０００７】
請求項１記載の発明は、複数の外部機器から送られてくる画像信号を、最大機器数を制限して入力する入力手段と、上記入力手段で入力した複数の画像信号を用いて多画面画像を作成し、作成した多画面画像を投影する投影手段と、上記複数の外部機器の優先順位を順次更新しながら記憶する記憶手段と、上記入力手段に最大機器数を超えて新たな外部機器から画像信号の送信要求があった場合に、上記記憶手段で記憶する優先順位にしたがって上記入力手段で画像信号を入力する外部機器を切換える入力制御手段とを具備したことを特徴とする。
【０００８】
請求項２記載の発明は、上記請求項１記載の発明において、上記記憶手段は、上記複数の外部機器から入力される画像信号の更新頻度を優先順位を示す情報として記憶することを特徴とする。
【０００９】
請求項３記載の発明は、上記請求項１記載の発明において、上記入力制御手段は、切換後に新たな外部機器から入力手段に画像信号が入力される時間を制限することを特徴とする。
【００１０】
請求項４記載の発明は、上記請求項１記載の発明において、上記入力制御手段は、上記複数の外部機器のうちの１台を最優先順位の機器として設定し、当該最優先順位の機器で指定された他の外部機器を、優先順位に関係なく無条件に画像信号を入力する外部機器として切換えることを特徴とする。
【００１１】
請求項５記載の発明は、上記請求項１乃至４いずれか記載の発明において、上記表示装置は、投影装置であることを特徴とする。
【００１２】
請求項６記載の発明は、複数の外部機器から送られてくる画像信号を、最大機器数を制限して入力する入力部、及び上記入力部で入力した複数の画像信号を用いて多画面画像を作成し、作成した多画面画像を投影する投影部とを有する投影装置での投影方法であって、上記複数の外部機器の優先順位を順次更新しながら記憶する記憶工程と、上記入力部に最大機器数を超えて新たな外部機器から画像信号の送信要求があった場合に、上記記憶工程で記憶する優先順位にしたがって上記入力部で画像信号を入力する外部機器を切換える入力制御工程とを有したことを特徴とする。
【００１３】
請求項７記載の発明は、複数の外部機器から送られてくる画像信号を、最大機器数を制限して入力する入力部、及び上記入力部で入力した複数の画像信号を用いて多画面画像を作成し、作成した多画面画像を投影する投影部とを有する投影装置が内蔵したコンピュータが実行するプログラムであって、上記複数の外部機器の優先順位を順次更新しながら記憶する記憶ステップと、上記入力部に最大機器数を超えて新たな外部機器から画像信号の送信要求があった場合に、上記記憶ステップで記憶する優先順位にしたがって上記入力部で画像信号を入力する外部機器を切換える入力制御ステップとをコンピュータに実行させることを特徴とする。
【発明の効果】
【００１４】
本発明によれば、同時に接続可能な台数分の外部機器が既に接続されている場合でも、必要に応じて新たに外部機器を接続してその機器からの画像を含んだ多画面画像を投影させることが可能となる。
【図面の簡単な説明】
【００１５】
【図１】本発明の一実施形態に係るデータプロジェクタ装置の電子回路の機能構成を示すブロック図。
【図２】同実施形態に係る主として画像信号の入力に基づいた多画面画像の投影動作に関する処理内容を示すフローチャート。
【図３】同実施形態に係る主として画像信号の入力に基づいた多画面画像の投影動作に関する処理内容を示すフローチャート。
【図４】同実施形態に係る主として画像信号の入力に基づいた多画面画像の投影動作に関する処理内容を示すフローチャート。
【図５】同実施形態に係る多画面画像の投影動作時にメインメモリで保持される更新回数テーブルの内容を例示する図。
【図６】同実施形態に係る多画面画像の投影動作時にメインメモリで保持される更新回数テーブルの内容を例示する図。
【図７】同実施形態に係る多画面画像の投影動作時にメインメモリで保持される更新回数テーブルの内容を例示する図。
【図８】同実施形態に係る多画面画像の投影動作時にメインメモリで保持される更新回数テーブルの内容を例示する図。
【図９】同実施形態に係る多画面画像の投影動作時にメインメモリで保持される更新回数テーブルの内容を例示する図。
【図１０】同実施形態に係る多画面画像の投影動作時にメインメモリで保持される更新回数テーブルの内容を例示する図。
【図１１】同実施形態に係る多画面画像の投影動作時にメインメモリで保持される更新回数テーブルの内容を例示する図。
【図１２】同実施形態に係る多画面画像の投影動作時にメインメモリで保持される更新回数テーブルの内容を例示する図。
【図１３】同実施形態に係る多画面画像の投影動作時にメインメモリで保持される更新回数テーブルの内容を例示する図。
【図１４】同実施形態に係る多画面画像の投影動作時にメインメモリで保持される更新回数テーブルの内容を例示する図。
【図１５】同実施形態に係る多画面画像の投影動作時にメインメモリで保持される更新回数テーブルの内容を例示する図。
【図１６】同実施形態に係る多画面画像の投影動作時にメインメモリで保持される更新回数テーブルの内容を例示する図。
【図１７】同実施形態に係る多画面画像の投影動作時にメインメモリで保持される更新回数テーブルの内容を例示する図。
【図１８】同実施形態に係る多画面画像の投影動作時にメインメモリで保持される更新回数テーブルの内容を例示する図。
【図１９】同実施形態に係る多画面画像の投影動作時にメインメモリで保持される更新回数テーブルの内容を例示する図。
【図２０】同実施形態に係る多画面画像の投影動作時にメインメモリで保持される更新回数テーブルの内容を例示する図。
【図２１】同実施形態に係る多画面画像の投影動作時にメインメモリで保持される更新回数テーブルの内容を例示する図。
【図２２】同実施形態に係る多画面画像の投影動作時にメインメモリで保持される更新回数テーブルの内容を例示する図。
【図２３】同実施形態に係る多画面画像の投影動作時にメインメモリで保持される更新回数テーブルの内容を例示する図。
【図２４】同実施形態に係る多画面画像の投影動作時にメインメモリで保持される更新回数テーブルの内容を例示する図。
【図２５】同実施形態に係る多画面画像の投影動作時にメインメモリで保持される更新回数テーブルの内容を例示する図。
【発明を実施するための形態】
【００１６】
以下本発明をデータプロジェクタ装置に適用した場合の一実施形態について図面を参照して説明する。ここで、複数台、例えば最大４台のパーソナルコンピュータからの画像データを受信して多画面画像を形成し、形成した画像を投影するデータプロジェクタ装置に適用した場合の一実施形態について図面を参照して説明する。
【００１７】
図１は、同実施形態に係るデータプロジェクタ装置１０が備える電子回路の概略機能構成を示すブロック図である。  
１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００１８】
入出力コネクタ部１１より入力される各種規格の画像信号は、入出力インタフェース（Ｉ／Ｆ）１２、システムバスＳＢを介し、一般にスケーラとも称される画像変換部１３に入力される。画像変換部１３は、入力された画像信号を投影に適した所定のフォーマットの画像信号に統一し、適宜表示用のバッファメモリである画像記憶部１４に記憶した後に、投影画像処理部１５へ送る。
【００１９】
この際、ＯＳＤ（Ｏｎ  Ｓｃｒｅｅｎ  Ｄｉｓｐｌａｙ）用の各種動作状態を示すシンボル等のデータも必要に応じて画像記憶部１４で画像信号に重畳加工され、加工後の画像信号が投影画像処理部１５へ送られる。
【００２０】
投影画像処理部１５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００２１】
このマイクロミラー素子１６は、アレイ状に配列された複数、例えばＸＧＡ（横１０２４×縦７６８ドット）分の微小ミラーの各傾斜角度を個々に高速でオン／オフ動作することでその反射光により光像を形成する。
【００２２】
一方で、本データプロジェクタ装置１０の光源として、ＬＥＤアレイ１７を用いる。このＬＥＤアレイ１７は、ＲＧＢの各色で発光する多数のＬＥＤが規則的に混在するようにアレイ配置して構成されるもので、その各色成分毎の時分割による発光が、内面全面に反射ミラーを貼設した角錐台状のハウジング１８により集光され、インテグレータ１９で輝度分布が均一な光束とされた後に、ミラー２０で全反射して上記マイクロミラー素子１６に照射される。
【００２３】
そして、マイクロミラー素子１６での反射光で光像が形成され、形成された光像が投影レンズユニット２１を介して、投影対象となるここでは図示しないスクリーンに投影される。
【００２４】
上記ＬＥＤアレイ１７は、Ｒドライバ２２、Ｇドライバ２３、及びＢドライバ２４によりそれぞれ対応する色のＬＥＤ群が駆動制御され、ＲＧＢの各原色が時分割で発光する。
【００２５】
上記Ｒドライバ２２、Ｇドライバ２３、及びＢドライバ２４は、投影光処理部２５からの制御信号に基づいたタイミング及び駆動電流で上記ＬＥＤアレイ１７を構成する個々の色成分のＬＥＤ群を駆動する。
【００２６】
投影光処理部２５は、投影画像処理部１５から与えられる画像データに応じて上記Ｒドライバ２２、Ｇドライバ２３、及びＢドライバ２４による発光タイミングと駆動電流とを制御する。
【００２７】
上記各回路の動作すべてをＣＰＵ２６が制御する。このＣＰＵ２６は、メインメモリ２７及びプログラムメモリ２８と接続される。メインメモリ２７はＤＲＡＭで構成され、ワークメモリとして機能する。プログラムメモリ２８は、動作プログラムや各種定型データ等を記憶した電気的書換可能な不揮発性メモリで構成される。ＣＰＵ２６は、メインメモリ２７及びプログラムメモリ２８を用いることで、このデータプロジェクタ装置１０全体の制御動作を実行する。
【００２８】
上記ＣＰＵ２６は、操作部２９からのキー操作信号に応じて各種投影動作を実行する。この操作部２９は、データプロジェクタ装置１０の本体に設けられるキー操作部と、このデータプロジェクタ装置１０専用の図示しないリモートコントローラからの赤外光を受信するレーザ受光部を含み、ユーザが直接またはリモートコントローラを介して操作したキーに基づくキー操作信号をＣＰＵ２６へ直接出力する。
【００２９】
上記ＣＰＵ２６はさらに、上記システムバスＳＢを介して音声処理部３０、及び無線ＬＡＮインターフェイス（Ｉ／Ｆ）３１と接続される。
【００３０】
音声処理部３０は、ＰＣＭ音源等の音源回路を備え、投影動作時に与えられる音声データをアナログ化し、スピーカ部３２を駆動して拡声放音させ、あるいは必要によりビープ音等を発生させる。
【００３１】
無線ＬＡＮインターフェイス３１は、無線ＬＡＮアンテナ３３を介し、例えばＩＥＥＥ８０２．１１ｂ／ｇ規格に則って２．４［ＧＨｚ］帯の電波でパーソナルコンピュータを含む複数の外部機器とのデータの送受を行なう。
【００３２】
本実施形態では、無線ＬＡＮアンテナ３３、無線ＬＡＮインターフェイス３１を介して最大４台の外部機器から画像信号を入力し、入力した各画像信号を加工して多画面画像を画像記憶部１４上で作成し、作成した多画面画像の光像をマイクロミラー素子１６で形成して投影レンズユニット２１より投影する。
【００３３】
次に上記実施形態の動作について説明する。  
なお、以下の動作でデータプロジェクタ装置１０に接続されるパーソナルコンピュータ等の外部機器は、「マスター」「レギュラー」及び「ゲスト」のランクを付与して接続を制御するものとする。
【００３４】
「マスター」は、１台目の外部機器として、外部機器側から接続を断たない限りデータプロジェクタ装置１０は無条件に常時接続を維持する。  
「レギュラー」は、２台目乃至４台目の外部機器として、画像の更新頻度を優先順位に反映させ、優先順位の低いものに関しては適宜「ゲスト」の外部機器と入れ換える。
【００３５】
「ゲスト」は、５台目以降の外部機器として、適宜先着順で「レギュラー」中の優先順位の低い外部機器と入れ換える。
【００３６】
図２〜図４は、電源を投入してから電源が切断されるまでの主として無線ＬＡＮアンテナ３３、無線ＬＡＮインターフェイス３１を介して入力される画像信号に基づいた他画面画像の投影動作に関する処理内容を示すものである。
【００３７】
図２〜図４の処理は、ＣＰＵ２６が操作部２９から読出した動作プログラム等を展開してメインメモリ２７に記憶させた上で実行する。
【００３８】
動作当初には、無線ＬＡＮアンテナ３３、スピーカ部３２を介してその時点で接続しているパーソナルコンピュータ（以下図面ではＰＣと称する）等の外部機器があるか否かを判断する（ステップＳ１０１）。
【００３９】
ここで外部機器の接続がないと判断した場合には、外部機器の接続を待機する旨を示す接続待機状態の表示データをプログラムメモリ２８から読出し、マイクロミラー素子１６でその光像を形成して投影レンズユニット２１より投影させる（ステップＳ１０２）。
【００４０】
一方、上記ステップＳ１０１で外部機器の接続があると判断した場合には、パーソナルコンピュータ等の外部機器から入力される画像信号の画面を投影する（ステップＳ１０３）。
【００４１】
上記ステップＳ１０２またはＳ１０３での投影動作を行なうと共に、新たにパーソナルコンピュータ等の外部機器の接続があったか否かを判断する（ステップＳ１０４）。
【００４２】
ここで、新たに接続があったと判断した場合には、次に接続があったその外部機器が１台目であるか否か、すなわち既に他の外部機器の接続が少なくとも１台のあるか否かを判断する（ステップＳ１０５）。
【００４３】
１台目の外部機器であり、他に外部機器が１台も接続されていないと判断した場合には、その外部機器をマスターとして設定した上で（ステップＳ１０６）、投影を続行するべく上記ステップＳ１０１からの処理に戻る。
【００４４】
また、上記ステップＳ１０５で既に他の外部機器の接続があり、１台目ではないと判断した場合には、次いでその接続によりレギュラーとなる最大接続数を超えたか否か、すなわち既に４台の外部機器の接続があるか否かを判断する（ステップＳ１０７）。
【００４５】
ここでその外部機器の接続がレギュラーの最大接続数を超えておらず、既に接続されている外部機器が３台以下であると判断した場合には、当該外部機器をレギュラーとして追加設定した上で（ステップＳ１０８）、投影を続行するべく上記ステップＳ１０１からの処理に戻る。
【００４６】
また、上記ステップＳ１０７で外部機器の接続がレギュラーの最大接続数を超え、５台目以降の接続であると判断した場合には、既に接続されているレギュラーの外部機器のうち、優先度が「通常」で最も画面更新回数の低いものとの接続を一旦切断した上で（ステップＳ０９）、当該外部機器をゲストとして追加設定した上で（ステップＳ１１０）、投影を続行するべく上記ステップＳ１０１からの処理に戻る。
【００４７】
さらに、上記ステップＳ１０４で新たにパーソナルコンピュータ等の外部機器の接続がなかったと判断した場合には、次いでその時点で接続している全外部機器の画面更新回数がチェック済みであるか否かを判断する（ステップＳ１１１）。
【００４８】
これは、メインメモリ２７上に保持する、後述する更新回数テーブルＴの内容に基づいて判断するもので、チェックがまだ済んでいないと判断した場合には、次に前回チェックした時点から画面の更新があったか否かを各外部機器から入力されている画像信号により判断する（ステップＳ１１２）。
【００４９】
ここで少なくとも一部の画像信号の内容が変化しており、画面の更新があったと判断した場合にのみ、画面更新処理として上記更新回数テーブル中、該当する外部機器の更新回数を変更設定した後（ステップＳ１１３）、上記ステップＳ１１１からの処理に戻る。
【００５０】
上記ステップＳ１１１でチェックが済んだと判断すると、さらにその時点で少なくとも１台の外部機器の接続があるか否かを確認する（ステップＳ１１４）。このとき、１台の外部機器の接続もないと判断した場合には、新たな外部機器の接続を待機するべく、上記ステップＳ１０１からの処理に戻る。
【００５１】
また、上記ステップＳ１１４で少なくとも１台の外部機器の接続がある場合には、次いでマスターとなるパーソナルコンピュータ等の外部機器による優先度操作を許可する（ステップＳ１１５）。
【００５２】
ここでマスターとなる外部機器での優先度操作があった場合、その操作内容に対応してレギュラーとなる外部機器とゲストとなる外部機器との設定を交換する操作を実行する（ステップＳ１１６）。
【００５３】
その後、上記設定の交換に伴い、外部機器の退出処理を実行する（ステップＳ１１７）。  
図４は、このステップＳ１１７の退出処理の詳細な内容を示すサブルーチンである。同図ではまず、残り時間が“０（ゼロ）”となったゲストの外部機器の接続があるか否かを更新回数テーブルＴから判断する（ステップＳ２０１）。例えば、ゲストの外部機器の接続可能時間を１分に設定した場合、１分経過した時点で残り時間は“０（ゼロ）”となる。
【００５４】
残り時間が“０（ゼロ）”となったゲストの外部機器の接続がない場合、次に自ら退出する外部機器があるか否かを判断する（ステップＳ２０３）。  
自ら退出する外部機器があると判断した場合、さらにその外部機器はマスターとして設定されている外部機器であるか否かを判断する（ステップＳ２０４）。
【００５５】
マスターとして設定された外部機器であった場合、その外部機器との接続を切断する（ステップＳ２０５）。次いでその時点でレギュラーとして設定されている外部機器の接続があるか否かを判断する（ステップＳ２０６）。
【００５６】
ここでレギュラーとして設定されている外部機器の接続があると判断した場合には、該当するレギュラーの外部機器の中で、優先度が最も高く、且つ更新回数の最も多いものをマスターの外部機器となるように格上げする設定を行なう（ステップＳ２０７）。
【００５７】
さらに、その時点でゲストの外部機器の接続があるか否かを判断する（ステップＳ２１１）。ゲストの外部機器の接続があると判断した場合にのみ、該当するゲストの外部機器の中で、最も更新回数の多いものをレギュラーの外部機器となるように格上げする設定を行なう（ステップＳ２１２）。
【００５８】
上記ステップＳ２１２の実行の有無に拘わらず、上記ステップＳ２１１の後、あるいは上記ステップＳ２０６でレギュラーとして設定されている外部機器の接続がないと判断した場合、次いで待機中のレギュラーの外部機器があるか否かを判断する（ステップＳ２１３）。
【００５９】
ここで、待機中のレギュラーの外部機器がないと判断した場合には、そのままこの図４のサブルーチンを終えて、上記図３のメインルーチンに戻る。一方、上記ステップＳ２１３で待機中のレギュラーの外部機器があると判断した場合は、その待機中のレギュラーの外部機器が複数であるか否かを判断する（ステップＳ２１４）。
【００６０】
ここで待機中のレギュラーの外部機器が複数であると判断した場合には、それら待機中のレギュラーの外部機器のうち、残り時間の絶対値が最小のものを選択して接続し（ステップＳ２１５）、以上でこの図４のサブルーチンを終えて、上記図３のメインルーチンに戻る。
【００６１】
また、上記ステップＳ２１４で、待機中のレギュラーの外部機器が複数ではなく単数、１台であると判断した場合には、そのレギュラーの外部機器を接続し（ステップＳ２１６）、以上でこの図４のサブルーチンを終えて、上記図３のメインルーチンに戻る。
【００６２】
さらに上記ステップＳ２０１で残り時間が“０（ゼロ）”となったゲストの外部機器の接続があると判断した場合、その該当する残り時間が“０（ゼロ）”となったゲストの外部機器の接続を切断した上で（ステップＳ２０２）、上記ステップＳ２１３に進んで、待機中のレギュラーの外部機器に対応した処理に移行する。
【００６３】
また、上記ステップＳ２０３で自ら退出する外部機器がないと判断した場合にも、そのまま上記ステップＳ２１３に進んで、待機中のレギュラーの外部機器に対応した処理に移行する。
【００６４】
さらに上記ステップＳ２０４で自ら退出する外部機器がマスターとして設定されている外部機器ではなかった場合には、次にその外部機器がレギュラーとして設定されているか否かを判断する（ステップＳ２０８）。
【００６５】
ここでその外部機器がレギュラーとして設定されていると判断した場合には、レギュラーである当該外部機器の接続を切断した上で（ステップＳ２０９）、上記ステップＳ２１１に進み、ゲストの外部機器への対応処理に移行する。
【００６６】
また、上記ステップＳ２０８でその外部機器がレギュラーとしても設定されていないと判断した場合には、当該外部機器はゲストとして設定されていることになるので、ゲストである当該外部機器の接続を切断した上で（ステップＳ２１０）、上記ステップＳ２１３に進み、待機中のレギュラーの外部機器への対応処理に移行する。
【００６７】
しかして、上記図３のメインルーチンにあっては、上記図４で詳細を示したステップＳ１１７の退出処理の後、操作部２９で電源を切断するためのキー操作がなされたか否かを判断する（ステップＳ１１８）。ここで、当該キー操作がなされた場合には、以上でこの図２乃至図４の投影に係る動作を終了する。
【００６８】
一方、上記ステップＳ１１８で電源を切断するためのキー操作がなされていないと判断した場合には、新たな外部機器の接続を待機するべく、上記ステップＳ１０１からの処理に戻る。
【００６９】
次に、上記メインメモリ２７に記憶される更新回数テーブルＴの内容を確認しながら具体的な動作例を説明する。
【００７０】
図５乃至図１３は、初期状態から各外部機器がデータプロジェクタ装置１０に接続していく状態を段階的に説明する。  
図５は、初期状態の更新回数テーブルＴを例示するものである。図示する如く初期状態の更新回数テーブルＴは、外部機器としてのマスター、及びレギュラー１〜３毎に、接続の有無、優先度、直前の１分間での画面更新回数、残り時間、及び外部機器のＩＰ（Ｉｎｔｅｒｎｅｔ  Ｐｒｏｔｏｃｏｌ）アドレスの各情報を保持する。ここでは、まだデータプロジェクタ装置１０にパーソナルコンピュータ等の外部機器が１台も接続されていないため、マスター機の優先度が固定的に「高」とされるのみで、他の情報は一切保持されていない。
【００７１】
図６は、１台目の外部機器がデータプロジェクタ装置１０に接続を求め、上記ステップＳ１０４〜Ｓ１０６の処理により当該外部機器がマスターとして設定された直後の状態を示す。
【００７２】
図７は、２台目乃至４台目の外部機器がレギュラーとして接続され、本実施形態における最大接続可能台数である４台に達した後に、さらに５台目の外部機器がゲスト１として接続を施行している状態を示す。レギュラーの外部機器においては、上記ステップＳ１０１，Ｓ１０３〜Ｓ１０５，Ｓ１０７，Ｓ１０８の処理を経て接続され、いずれも優先度が「通常」となっているが、直前の１分間での画面更新回数に差が生じている。
【００７３】
図８は、上記ゲスト１の外部機器が接続したために、上記ステップＳ１０９の処理で最も画面更新回数が少なかったレギュラー３の外部機器が一時的に接続を切断され、待機状態とされた後、続く上記ステップＳ１１０でゲスト１の外部機器が追加された状態を示す。切断されたレギュラー３の外部機器の残り時間（待機時間）が「−１′(分)００″(秒)」とされる一方で、接続されたゲスト１の外部機器の残り時間が「１′００″」とされ、当該時間の各カウントダウンが開始される。
【００７４】
図９は、上記図８の状態から１０［秒］経過後の状態を示す。この時点で、データプロジェクタ装置１０に接続されている外部機器は、マスターが１台、レギュラーが２台、及びゲストが１台の計４台である。
【００７５】
図１０は、上記図９の状態からさらに１０［秒］が経過し、合わせて新たにゲスト２となる外部機器からの接続を施行中である状態を示す。
【００７６】
図１１は、ゲスト２の外部機器が接続したために、上記ステップＳ１０９の処理で最も画面更新回数が少なかったゲスト１の外部機器が接続を切断された後、続く上記ステップＳ１１０でゲスト２の外部機器が追加された状態を示す。
【００７７】
ゲスト１の外部機器は、接続を切断された後、待機状態とはならない。また、すでに切断されているレギュラー３の外部機器の残り時間（待機時間）が「０′３０″」となっている一方で、新たに接続されたゲスト２の外部機器の残り時間が「１′００″」とされている。
【００７８】
図１２は、上記図１１の状態からさらに１０［秒］が経過した状態を示す。レギュラー１，２の各外部機器は、共に画面更新回数を「２」としている。
【００７９】
図１３は、上記図１２の状態からさらに２０［秒］が経過し、ゲスト２の外部機器との接続が切断され、代わってレギュラー３の外部機器が待機状態から復帰して接続されている状態を示す。
【００８０】
ゲスト２の外部機器との接続の切断にあっては、残り時間が“０（ゼロ）”となった時点で上記ステップＳ２０１によりそれを判断し、続く上記ステップＳ２０２で切断を行なう。その後、上記ステップＳ２１３で待機中のレギュラー３の外部機器があることを判断し、さらに上記ステップＳ２１４で待機中の外部機器が複数ではなく単数であることを判断した後に、上記ステップＳ２１６でレギュラー３の外部機器との再接続を実行する。
【００８１】
図１４及び図１５は、マスターとなる外部機器により優先度操作が行なわれる状態を段階的に説明する。  
図１４は、上記図９の状態から、マスターとなる外部機器によってゲスト１の外部機器の優先度が高められ、ゲスト２の外部機器が接続を試行してきた状態を例示する。
【００８２】
図１５は、上記図１４の状態から、ゲスト２の外部機器が改めて接続された状態を示す。本来であれば、最も画面更新回数が少なかったゲスト１の外部機器との接続が切断されるものであるが、上記ステップＳ１１５，Ｓ１１６の処理でマスターの外部機器の優先度操作によってゲスト１の外部機器の優先度が上げられて「高」とされているため、レギュラー２の外部機器との接続が切断されて、待機中とされている。
【００８３】
図１６及び図１７は、マスターとなる外部機器によりレギュラーの外部機器とゲストの外部機器との接続が交換される状態を段階的に説明する。  
図１６は、上記図９の状態から、マスターとなる外部機器によってレギュラー３の外部機器とゲスト１の外部機器との設定の交換が行なわれた状態を例示する。この処理により、新たにレギュラー３となった外部機器が接続される一方で、それまでレギュラー３であった外部機器はゲスト１として接続を切断される。
【００８４】
図１７は、上記交換後の接続状態を示すものであり、上述した如く、ゲストとなる外部機器には待機状態が与えられないため、新たにゲスト１となった外部機器も切断された後に待機中とはならず、この更新回数テーブルＴから除去される。
【００８５】
図１８乃至図２０は、マスターの外部機器の退出処理を段階的に説明する。  
図１８は、上記図９の状態から、マスターとなる外部機器が退出した直後の状態を例示する。
【００８６】
図１９は、上記図１８の状態の直後に、最も画面更新回数が多かったレギュラー１の外部機器が新たなマスターとして格上げされ、それに伴ってゲスト１の外部機器もレギュラー３となった状態を示す。
【００８７】
上記図４の処理にあっては、上記ステップＳ２０１，Ｓ２０３を経て上記ステップＳ２０４で退出するのがマスターの外部機器であることを判断した後、上記ステップＳ２０５，Ｓ２０６を経て上記ステップＳ２０７で最も画面更新回数の高いレギュラーの外部機器をマスターとして格上げする。その後、上記ステップＳ２１１を経て上記ステップＳ２１２でゲストの外部機器をレギュラーとして格上げする。
【００８８】
図２０は、上記図１９の状態の直後で、接続待機中の外部機器を含めて全外部機器数がデータプロジェクタ装置１０の最大接続可能台数以内に収まったことにより、レギュラー２の外部機器が再接続されて復帰する状態を示す。
【００８９】
図２１乃至図２３は、レギュラーの外部機器の退出処理を段階的に説明する。  
図２１は、上記図９の状態から、レギュラー１の外部機器が退出した直後の状態を例示する。
【００９０】
図２２は、上記図２１の状態の直後に、最も画面更新回数が多かったレギュラー２の外部機器が新たなレギュラー１となり、それに伴ってゲスト１の外部機器がレギュラー３となった状態を示す。
【００９１】
上記図４の処理にあっては、上記ステップＳ２０１，Ｓ２０３，Ｓ２０４を経て上記ステップＳ２０８で退出するのがレギュラーの外部機器であることを判断した後、上記ステップＳ２０９，Ｓ２１１を経てステップＳ２１２でゲストの外部機器をレギュラーとして格上げする。
【００９２】
図２３は、上記図２２の状態の直後で、接続待機中の外部機器を含めて全外部機器数がデータプロジェクタ装置１０の最大接続可能台数以内に収まったことにより、待機中であったレギュラー２の外部機器が再接続されて復帰した状態を示す。
【００９３】
図２４及び図２５は、ゲストの外部機器の退出処理を段階的に説明する。  
図２４は、上記図９の状態から１０秒後、ゲスト１の外部機器が退出した直後の状態を例示する。
【００９４】
上記図４の処理にあっては、上記ステップＳ２０１，Ｓ２０３，Ｓ２０４を経て上記ステップＳ２１０８で退出するのがレギュラーではなくゲストの外部機器であることを判断した後、上記ステップＳ２１０，Ｓ２１３，Ｓ２１４を経てステップＳ２１６で待機中であったレギュラーの外部機器を再接続する。
【００９５】
図２５は、上記図２４の状態の直後に、接続待機中の外部機器を含めて全外部機器数がデータプロジェクタ装置１０の最大接続可能台数以内に収まったことにより、待機中であったレギュラー３の外部機器が再接続されて復帰した状態を示す。
【００９６】
以上詳記した如く本実施形態によれば、同時に接続可能な台数分の外部機器が既に接続されている場合でも、必要に応じて新たに外部機器を接続してその機器からの画像を含んだ多画面画像を表示させることが可能となる。
【００９７】
また上記実施形態では、上記複数の外部機器から入力される画像信号の更新頻度（回数）を優先順位を示す１つの指標として記憶することとしたので、より高い頻度で画面を更新している外部機器ほど優先度が高いものとして取扱い、反対に画面の更新が少ない外部機器は自然と優先度が低いものとして、他の外部機器と切換える可能性を高める設定とすることにより、使用の実状に即して自動的に機器を選択することができる。
【００９８】
さらに本実施形態では、ゲストの外部機器へ切換えた後、そのゲストの外部機器から画像信号を入力する時間を制限するものとした。これにより、レギュラーとなる外部機器が上記制限時間経過後に表示装置との接続状態に復帰し、画像信号を再度送信して表示させる動作を自動化することができ、煩雑な操作を簡略化して使い勝手を向上させることができる。
【００９９】
また上記実施形態では、マスタとなる外部機器による優先度操作で、本来の優先順位に拘わらず、接続数が制限される他の外部機器の接続状態を切換えることができるものとした。これによって、より柔軟性に富んだ自由度の高い運転を可能にできる。
【０１００】
なお、上記実施形態はパーソナルコンピュータ等の外部機器を同時に最大４台まで無線ＬＡＮアンテナ３３及び無線ＬＡＮインターフェイス３１を介して無線ＬＡＮ接続する場合について説明したが、本発明はこれに限らず、外部機器の種類、接続方式や有線／無線の別、同時接続可能な台数等を限定するものではない。
【０１０１】
また、本実施形態においては、外部機器からの画像信号を入力して表示する装置としてデータプロジェクタ装置の例を示したが、これに限定されるものではなく、複数の外部機器からの入力が可能なプレゼンテーションを行なえる大型の表示装置でも良い。
【０１０２】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【０１０３】
１０…データプロジェクタ装置、１１…入出力コネクタ部、１２…入出力インタフェース（Ｉ／Ｆ）、１３…画像変換部（スケーラ）、１４…画像記憶部、１５…投影画像処理部、１６…マイクロミラー素子（ＳＯＭ）、１７…ＬＥＤアレイ、１８…ハウジング、１９…インテグレータ、２０…ミラー、２１…投影レンズユニット、２２…Ｒドライバ、２３…Ｇドライバ、２４…Ｂドライバ、２５…投影光処理部、２６…ＣＰＵ、２７…メインメモリ、２８…プログラムメモリ、２９…操作部、３０…音声処理部、３１…無線ＬＡＮインターフェイス（Ｉ／Ｆ）、３２…スピーカ部、３３…無線ＬＡＮアンテナ、ＳＢ…システムバス、Ｔ…更新回数テーブル。
【図１】
2010211722.tif 000003
【図２】
2010211722.tif 000004
【図３】
2010211722.tif 000005
【図４】
2010211722.tif 000006
【図５】
2010211722.tif 000007
【図６】
2010211722.tif 000008
【図７】
2010211722.tif 000009
【図８】
2010211722.tif 000010
【図９】
2010211722.tif 000011
【図１０】
2010211722.tif 000012
【図１１】
2010211722.tif 000013
【図１２】
2010211722.tif 000014
【図１３】
2010211722.tif 000015
【図１４】
2010211722.tif 000016
【図１５】
2010211722.tif 000017
【図１６】
2010211722.tif 000018
【図１７】
2010211722.tif 000019
【図１８】
2010211722.tif 000020
【図１９】
2010211722.tif 000021
【図２０】
2010211722.tif 000022
【図２１】
2010211722.tif 000023
【図２２】
2010211722.tif 000024
【図２３】
2010211722.tif 000025
【図２４】
2010211722.tif 000026
【図２５】
2010211722.tif 000027